(57)【要約】【課題】複数の物品それぞれのコーナー部に装着して当該複数の物品を積層したときでも積層高さを抑え易いコーナーパッドを得ること。【解決手段】運搬時や保管時に積層される複数の物品それぞれのコーナー部に装着されて該コーナー部での天側、側面側、および地側を覆うコーナーパッド５０を構成するにあたり、コーナー部での天側を覆う天面部５と、天面部に連接してコーナー部での側面側を覆う側壁部２０Ａ，２０Ｂと、側壁部に連接してコーナー部での地側を覆う底面部４０Ａ，４０Ｂとを設け、底面部には、複数の物品の積層時に下側のコーナーパッドの天面部が嵌合可能な開口部ＦＰを設ける。【選択図】        図８
2010058798.tif 000002
【特許請求の範囲】
【請求項１】
運搬時や保管時に積層される複数の物品それぞれのコーナー部に装着されて該コーナー部での天側、側面側、および地側を覆うコーナーパッドであって、
前記コーナー部での天側を覆う天面部と、
該天面部に連接して前記コーナー部での側面側を覆う側壁部と、
前記複数の物品の積層時に下側のコーナーパッドの天面部が嵌合可能な開口部を有し、前記側壁部に連接して前記コーナー部での地側を覆う底面部と、
を備えていることを特徴とするコーナーパッド。
【請求項２】
前記天面部は、略三角形状の平面形状を有し、
前記側壁部は、前記物品での一側面の端部を覆う第１側壁部と、前記物品での他の側面の端部を覆う第２側壁部とを含み、
前記底面部は、前記第１側壁部に連接した第１底面部と、前記第２側壁部に連接した第２底面部とを含み、
１つの段ボールシートに前記天面部、前記側壁部、および前記底面部が設けられて、前記天面部と前記側壁部との境界部、および前記側壁部と前記底面部との境界部をそれぞれ折り曲げることで所定形状に組み立てられて、多角形状の平面形状を有する物品のコーナー部に装着される、
ことを特徴とする請求項１に記載のコーナーパッド。
【請求項３】
前記物品は、
上端に形成されて内側に張り出した第１内フランジ部、下端に形成されて内側に張り出した第２内フランジ部、および前記第１内フランジ部と前記第２内フランジ部との間で内側に張り出した張り出し部を有するフレームと、
前記フレームの前記第１内フランジ部と前記張り出し部との間に保持された太陽電池パネルと、
を備えた太陽電池モジュールであり、
前記底面部は、
前記第２内フランジ部の下面を覆う第１セクションと、
該第１セクションに連接して前記第２内フランジ部の内側面および上面を覆う第２セクションと、
前記第２セクションに連接して前記フレームの内側面を覆い、前記張り出し部に上端部が係止される第３セクションと、
を有することを特徴とする請求項１または２に記載のコーナーパッド。
【請求項４】
前記側壁部での前記天面部側の端部から天側に突出した複数の雄型嵌合部と、
前記側壁部での前記底面部側に形成され、前記複数の物品の積層時に下側のコーナーパッドの雄型嵌合部が嵌合可能な複数の雌型嵌合部と、
を更に有することを特徴とする請求項１〜３のいずれか１つに記載のコーナーパッド。
【発明の詳細な説明】
【技術分野】
【０００１】
この発明は、物品のコーナー部に装着されて当該物品のコーナー部を保護するコーナーパッドに関するものである。
【背景技術】
【０００２】
物品を運搬する際には、多くの場合、他の物品と接触して傷付いたり、他の物品やヒトを傷付けたりするのを防止するために、当該物品が包装される。物品全体を包装することもあれば、物品の一部、例えば端部やコーナー部のみを包装することもあり、用途に応じた種々の包装資材（梱包資材）が開発されている。
【０００３】
例えば特許文献１には、２つの四角筒体が幅方向に形成されたプラスチック段ボール製の梱包装置本体と、被梱包物の下方端部を支える２つの設置凹部が配置された略直方体状の受け部とからなり、梱包装置本体に受け部が組み付けられた梱包装置が記載されている。当該梱包装置は、１対で２つの被梱包物を梱包するものであり、個々の梱包装置は被梱包物の長手方向端部に装着される。各梱包装置での上記の四角筒体毎に１つの被梱包物の長手方向端部が挿入されて受け部の設置凹部により支持される。
【０００４】
また、特許文献２には、上面壁、下面壁、および２つの側壁を有する三角巾のキャップ状に組み立てられて、製品の隅角（コーナー部）に装着される段ボール製のパッド材が記載されている。
【０００５】
【特許文献１】特開平１１‐０２０８６２号公報
【特許文献２】実開平０６‐０１２３６０号公報
【発明の開示】
【発明が解決しようとする課題】
【０００６】
物品の端部やコーナーを保護する従来の包装は、上記特許文献１に記載された梱包装置や特許文献２に記載されたパッド材におけるように、物品の端部やコーナーでの天側、側面側、および地側を包装資材で覆うようにして行われるため、包装後の物品の実効的な厚さは、未包装時の物品の厚さに天側および地側それぞれでの包装資材の厚さを加えた厚さとなる。このため、包装された複数の物品を積層して運搬ないし保管する際には、積層方向に隣り合う２つの物品間に包装資材２枚分のスペースが必要となる。このため、積層高さが高くなり易く、輸送効率や保管時の空間利用効率を向上させ難い。
【０００７】
この発明は上記の事情に鑑みてなされたものであり、複数の物品それぞれのコーナー部に装着して当該複数の物品を積層したときでも積層高さを抑え易いコーナーパッドを得ることを目的とする。
【課題を解決するための手段】
【０００８】
上記の目的を達成するこの発明のコーナーパッドは、運搬時や保管時に積層される複数の物品それぞれのコーナー部に装着されて該コーナー部での天側、側面側、および地側を覆うコーナーパッドであって、コーナー部での天側を覆う天面部と、天面部に連接してコーナー部での側面側を覆う側壁部と、複数の物品の積層時に下側のコーナーパッドの天面部が嵌合可能な開口部を有し、側壁部に連接してコーナー部での地側を覆う底面部とを備えていることを特徴とするものである。
【発明の効果】
【０００９】
この発明のコーナーパッドは、他のコーナーパッドの天面部が嵌合可能な開口部を有する底面部を備えているので、複数の物品それぞれのコーナー部に装着して当該複数の物品を積層したときには、積層方向に隣り合う２つのコーナーパッドのうちの下側のコーナーパッドの天面部と上側のコーナーパッドの上記開口部とが互いに嵌合することとなる。その結果として、積層方向に隣り合う２つの物品間のスペースを天面部または底面部１つ分の厚さ程度に容易に抑えることができ、複数の物品を積層したときの積層高さを容易に抑えることができる。積層された複数の物品の輸送効率や保管時の空間利用効率を向上させることができる。
【発明を実施するための最良の形態】
【００１０】
この発明でいう「物品のコーナー部での天側、地側」は、当該物品にコーナーパッドを装着して積層する際の天側、地側を意味する。物品でのコーナー部の形状は当該物品の形状に応じて異なるので、この発明のコーナーパッドの全体形状は物品のコーナー部の形状に応じて適宜選定される。以下、太陽電池モジュールのコーナー部を保護する場合を例にとり、この発明のコーナーパッドの実施の形態について図面を参照して詳細に説明する。なお、この発明は以下に説明する実施の形態に限定されるものではない。
【００１１】
図１は、この発明のコーナーパッドによりコーナー部が保護される太陽電池モジュールの一例を概略的に示す斜視図であり、図２は、図１中のII−II線に沿った断面の概略図であり、図３は、図１中のIII−III線に沿った断面の概略図である。これらの図に示す太陽電池モジュール１３０は、太陽電池パネル１００と、この太陽電池パネル１００の外縁部を囲んで該太陽電池パネル１００を保持するフレーム１２０とを備えており、４つのコーナー部Ｃ（図１参照）を有している。
【００１２】
上記の太陽電池パネル１００は、複数の太陽電池セル（図示せず）が配列されて電気的に接続された四角形の平板状部材であり、その背面には当該太陽電池パネル１００と外部負荷とを電気的に接続する端子箱（図示せず）が配置されている。また、フレーム１２０は矩形枠状を呈し、太陽電池パネル１００を保持して太陽電池モジュール１３０の設置時には架台に固定される。このフレーム１２０は、太陽電池パネル１００の平面視上の長辺側を保持する１対の枠材１１１，１１１と、太陽電池パネル１００の平面視上の短辺側を保持する１対の枠材１１３，１１３とを有している。
【００１３】
図２に示すように、上記の枠材１１１は、太陽電池パネル１００の上面（受光面）が当接する第１内フランジ部Ｆ1、設置時に地側となる第２内フランジ部Ｆ2、および第１内フランジ部Ｆ1と第２内フランジ部Ｆ2との間の領域に設けられて太陽電池パネル１００の背面が当接する支持部Ｓを有しており、各内フランジ部Ｆ1，Ｆ2および支持部Ｓはフレーム１２０の内側に張り出している。また、第２内フランジ部Ｆ2と支持部Ｓとの間には、枠材１１３と連結するのに用いられるビスホール部ＢＨ1が突設されており、該ビスホール部ＢＨ1と同様のビスホール部ＢＨ2が第２内フランジ部Ｆ2の先端側にも設けられている。なお、以下の説明では、支持部Ｓとビスホール部ＢＨ1とを「張り出し部」と総称することがある。
【００１４】
一方、図３に示すように、上記の枠材１１３も、太陽電池パネル１００の上面（受光面）に当接する第１内フランジ部Ｆ1と、設置時に地側となる第２内フランジ部Ｆ2と、太陽電池パネル１００の背面が当接する支持部Ｓとを有しており、各内フランジ部Ｆ1，Ｆ2および支持部Ｓはフレーム１２０の内側に張り出している。上述した枠材１１１に設けられているビスホール部ＢＨ1，ＢＨ2は、枠材１１３には設けられていない。太陽電池パネル１００は、各枠材１１１，１１３での第１内フランジ部Ｆ1と張り出し部（具体的には支持部Ｓ）との間に保持されて、フレーム１２０に固定されている。
【００１５】
図４は、この発明のコーナーパッドの一例を概略的に示す展開図である。同図に示すコーナーパッド５０は段ボールシート製のものであり、太陽電池モジュール１３０のコーナー部Ｃ（図１参照）に装着されて該コーナー部Ｃを保護する。そのために、コーナーパッド５０は、コーナー部Ｃの天（第１内フランジ部Ｆ1（図２または図３参照）の上面）側を覆う天面部５、側面（フレーム１２０（図１〜図３参照）での外側の側面）側を覆う第１、第２側壁部２０Ａ，２０Ｂ、および地（第２内フランジ部Ｆ2（図２または図３参照）の下面）側を覆う第１、第２底面部４０Ａ，４０Ｂを有している。このコーナーパッド５０は、使用に先だって所定形状に折り曲げられて、組み立てられる。図４においては、組み立て時にフレーム１２０側から見て山折りされる箇所を一点鎖線で、谷折りされる箇所を破線で、切り込み線を点線で示している。
【００１６】
上記の天面部５は、略直角三角形状の平面形状を有し、コーナー部Ｃでの天側を覆う。複数の太陽電池モジュール１３０それぞれのコーナー部Ｃにコーナーパッド５０を装着して当該複数の太陽電池モジュール１３０を積層する際の位置決めを容易にし、かつ横ずれを防止するために、天面部５を平面視したときの底辺（天面部５の平面形状を直角三角形とみなしたときの底辺）以外の２つの辺それぞれの中央付近を横切るようにして、平爪状の雄型嵌合部１０Ａ，１０Ｂが設けられている。これらの雄型嵌合部１０Ａ，１０Ｂは互いに異なる方向に延びる左右軸を有しており、コーナーパッド５０の組み立て時に切り起こされて、側壁部２０での天面部側の端部から天側に突出する。
【００１７】
第１側壁部２０Ａおよび第２側壁部２０Ｂの各々は、台形の下底側を部分的に切り欠いて上記雄型嵌合部１０Ａ，１０Ｂが嵌合可能な形状および大きさの雌型嵌合部１５Ａ，１５Ｂを設けた平面形状を有しており、上底側で天面部５に連接してコーナー部Ｃでの側面側を覆う。具体的には、フレーム１２０の側面のうちでコーナー部Ｃで交わる２つの側面、すなわちフレーム１２０を平面視したときの長辺側の外側の側面と短辺側の外側の側面のうち、長辺側の外側の側面を第１側壁部２０Ａが覆い、短辺側の外側の側面を第２側壁部２０Ｂが覆う。なお、コーナーパッド５０が装着された太陽電池モジュール１３０を積層したときには、各雌型嵌合部１５Ａ，１５Ｂに下側のコーナーパッド５０の雄型嵌合部１０Ａまたは雄型嵌合部１０Ｂが嵌合する。
【００１８】
第１底面部４０Ａと第２底面部４０Ｂとは、コーナーパッド５０が装着された太陽電池モジュール１３０を積層したときに下側のコーナーパッド５０の天面部５が嵌合可能な形状および大きさの開口部を図示のコーナーパッド５０の天面部５の下方に残して、コーナー部Ｃでの地側を覆う。使用時におけるコーナーパッド５０は、地側に上記の開口部を有する。この開口部（以下、「底面側雌型嵌合部」という）を形成するために、第１底面部４０Ａは、１つの斜辺が下底と略直角をなし残りの斜辺が下底と鋭角をなす台形状の第１セクション３０Ａを有しており、第２底面部４０Ｂは、上記第１セクション３０Ａと同形状の第１セクション３０Ｂを有している。
【００１９】
各第１セクション３０Ａ，３０Ｂは、上記下底と鋭角をなす斜辺同士が２つの雌型嵌合部１５Ａ，１５Ｂを間に介して互いに対向する向きで配置されている。第１セクション３０Ａの上底が第１側壁部２０Ａの下底の端部に連接して、第１側壁部２０Ａでの雌型嵌合部１５Ａの側方および下方に底面側雌型嵌合部の一部となる切り欠き部ＣＯ1を形成している。同様に、第１セクション３０Ｂの上底が第２側壁部２０Ｂの下底の端部に連接して、第１側壁部２０Ｂでの雌型嵌合部１５Ｂの側方および下方に底面側雌型嵌合部の一部となる切り欠き部ＣＯ2を形成している。
【００２０】
第１底面部４０Ａは、上述の第１セクション３０Ａの他に、該第１セクション３０Ａに連接して第２内フランジ部Ｆ2（図２または図３参照）の内側面および上面を覆う第２セクション３５Ａと、該第２セクション３５Ａに連接したフレーム１２０の内側面を覆う第３セクション３７Ａも有している。同様に、第２底面部４０Ｂは、上述の第１セクション３０Ｂの他に、該第１セクション３０Ｂに連接して第２内フランジ部Ｆ2の内側面および上面を覆う第２セクション３５Ｂと、該第２セクション３５Ｂに連接してフレーム１２０の内側面を覆う第３セクション３７Ｂも有している。
【００２１】
第１底面部４０Ａでの上記第２セクション３５Ａは、２つの第１ポーション３２Ａ1，３２Ａ2と１つの第２ポーション３３Ａとを有している。各第１ポーション３２Ａ1，３２Ａ2は四角形状の平面形状を有し、互いに間隔をあけて配置されて第１セクション３０Ａの下底に部分的に連接している。第１ポーション３２Ａ1の側方および第１ポーション３２Ａ2の両側には切り込み線が形成されている。また、第２ポーション３３Ａも四角形状の平面形状を有し、各第１ポーション３２Ａ1，３２Ａ2に連接していると共に第１セクション３０Ａの下底に部分的に連接している。第３セクション３７Ａは、第２ポーション３３Ａよりも幅狭の四角形状を呈する。
【００２２】
一方、第２底面部４０Ｂでの上記第２セクション３５Ｂは、上述した第１底面部４０Ａでの第２セクション３５Ａと同様に、第２内フランジ部Ｆ2の内側面を覆う２つの第１ポーション３２Ｂ1，３２Ｂ2と、第２内フランジ部Ｆ2の上面を覆う第２ポーション３３Ｂとを有している。第３セクション３７Ｂは、第２ポーション３３Ｂよりも幅狭の四角形状を呈する。
【００２３】
以上説明した天面部５、第１側壁部２０Ａ、第２側壁部２０Ｂ、第１底面部４０Ａ、および第２底面部４０Ｂを有するコーナーパッド５０の展開形状は、天面部５を直角三角形とみなしたときの頂角と底辺の中点とを通る直線を対称軸ＳＡとする線対称形状である。
【００２４】
図５は、図４に示した展開形状のコーナーパッドの組み立て時の形状を概略的に示す平面図であり、図６は、図４に示した展開形状のコーナーパッドの組み立て時の形状を概略的に示す底面図である。また、図７は、図４に示した展開形状のコーナーパッドの組み立て時の形状を概略的に示す正面斜視図であり、図８は、図４に示した展開形状のコーナーパッドの組み立て時の形状を概略的に示す背面斜視図である。そして、図９は、図４に示した展開形状のコーナーパッドの組み立て時の形状を概略的に示す側面図である。
【００２５】
図５および図７〜図９に示すように、図４に示した展開形状のコーナーパッド５０を組み立てるときには、各側壁部２０Ａ，２０Ｂが天面部５に対して略直角に谷折りされる。その結果として、各雄型嵌合部１０Ａ，１０Ｂが起立して天面部５の上方に突出する。コーナーパッド５０の天面には、図５〜図８に示すように、各雄型嵌合部１０Ａ，１０Ｂが起立した跡に開口部ＯＰが形成される。
【００２６】
また、図５、図６、および図８に示すように、第１底面部４０Ａを構成する第１セクション３０Ａは第１側壁部２０Ａに対して略直角に谷折りされ、第２底面部４０Ｂを構成する第１セクション３０Ｂは第２側壁部２０Ｂに対して略直角に谷折りされる。これにより、図５〜図８に示すように、天面部５と嵌合可能な形状および大きさの開口部、すなわち底面側雌型嵌合部ＦＰが天面部５の下方に形成される。
【００２７】
また、図８に示すように、第１底面部４０Ａを構成する第２セクション３５Ａでの各第１ポーション３２Ａ1，３２Ａ2は上記の第１セクション３０Ａに対して谷折りされ、第２ポーション３３Ａは、図５、図６、および図８に示すように、第１ポーション３２Ａ1，３２Ａ2に対して谷折りされる。同様に、第２底面部４０Ｂを構成する第２セクション３５Ｂでの各第１ポーション３２Ｂ1，３２Ｂ2は上記の第１セクション３０Ｂに対して谷折りされ、第２ポーション３３Ｂは第１ポーション３２Ｂ1，３２Ｂ2に対して谷折りされる。
【００２８】
そして、図５および図８に示すように、第１底面部４０Ａでの第３セクション３７Ａは上記の第２ポーション３３Ａに対して山折りされ、第２底面部４０Ｂでの第３セクション３７Ｂは上記の第２ポーション３３Ｂに対して山折りされる。これら第３セクション３７Ａ，３７Ｂのうち、枠材１１１の内側面側を覆う第３セクションの上端側は当該枠材１１１での張り出し部の１つであるビスホール部ＢＨ1（図２参照）の下面に係止され、枠材１１３の内側面側を覆う第３セクションの上端側は当該枠材１１３での張り出し部である支持部Ｓの下面に係止される。
【００２９】
各第２ポーション３３Ａ，３３Ｂが上述のように谷折りされる一方で、各第３セクション３７Ａ，３７Ｂが上述のように山折りされることから、第３セクション３７Ａ，３７Ｂの各々が段ボールシートの復元力によって上記張り出し部の下面側で突っ張った状態となって、コーナーパッド５０がフレーム１２０に固定される。したがって、コーナーパッド５０を太陽電池モジュール１３０のコーナー部Ｃ（図１参照）に装着するにあたっては、梱包テープや糊等の副資材を用いなくても所望形状を保持させることが可能である。
【００３０】
図１０は、複数の太陽電池モジュールそれぞれのコーナー部に上述のコーナーパッドを装着してこれらの太陽電池モジュールを積層したときの状態を概略的に示す部分側面図である。同図に示すように、複数の太陽電池モジュール１３０それぞれのコーナー部に上述のコーナーパッド５０を装着してこれらの太陽電池モジュール１３０を積層したときには、積層方向に隣り合う２つのコーナーパッド５０，５０同士が互いに勘合する。
【００３１】
具体的には、下側のコーナーパッド５０の天面部５（図８参照）と上側のコーナーパッド５０の底面側雌型嵌合部ＦＰ（図８参照）とが互いに嵌合する。その結果として、積層方向に隣り合う２つの太陽電池モジュール１３０間のスペースが、１つのコーナーパッド５０での天面部５の厚さ程度、あるいは底面部４０Ａ，４０Ｂにおける第１セクション３０Ａ，３０Ｂ（図８参照）の厚さ程度に抑えられる。従来のコーナーパッドを用いた場合に比べ、複数の太陽電池モジュール１３０を積層したときの積層高さが抑えられる。
【００３２】
このため、これら複数の太陽電池モジュール１３０を積層して輸送する際の輸送効率や、複数の太陽電池モジュール１３０を積層して保管する際の空間利用効率を向上させることができる。各コーナーパッド５０で底面側雌型嵌合部ＦＰが形成されるので、個々のコーナーパッド５０の軽量化や減容化、および包装の減量化や包装容積の減縮等を図ることも容易である。
【００３３】
また、積層方向に隣り合う２つのコーナーパッド５０，５０のうちの下側のコーナーパッド５０の雄型嵌合部１０Ａ，１０Ｂと上側のコーナーパッド５０の雌型嵌合部１５Ａ，１５Ｂとを互いに嵌合させることができるので、複数の太陽電池モジュール１３０を積層する際の位置決めが容易になると共に、横ずれの防止が容易になる。
【００３４】
以上、この発明のコーナーパッドについて実施の形態を挙げて説明したが、前述のように、この発明は上記の形態に限定されるものではない。この発明のコーナーパッドは、物品のコーナー部での天側を覆う天面部と、天面部に連接してコーナー部での側面側を覆う側壁部と、側壁部に連接してコーナー部での地側を覆う底面部とを有し、天面部と嵌合可能な形状および大きさの開口部が天面部の下方に形成されるものであれば基本的によい。
【００３５】
この発明のコーナーパッドの全体形状は、装着対象の物品でのコーナー部の形状に応じて適宜選定され、展開したときの形状を線対称形状とすることは必須の要件ではなく任意の要件である。太陽電池モジュール以外の物品に適用することも勿論可能であり、その平面形状は、四角形以外の多角形状であってもよいし、多角形の角部を丸めた形状であってもよいし、これらの形状以外の形状であってもよい。また、形状保持のために梱包テープや糊等の副資材を用いることが必要な形状、例えば底面部での第３セクションを省略した形状とすることも可能である。物品を積層するときの位置決めや横ずれ防止に用いられる雄型嵌合部および雌型嵌合部の形状および数も、これらを設けない場合を含めて、適宜選定可能である。
【００３６】
この発明のコーナーパッドの材料としては、コストや再利用する際の手間等を考慮すると段ボールシートが好ましいが、プラスチック段ボールを用いることも可能である。また、緩衝材を所定形状に成形することで得た非組立て式のものとすることもできる。この発明については、上述した以外にも種々の変形、修飾、組み合わせ等が可能である。
【産業上の利用可能性】
【００３７】
この発明は、物品のコーナー部に装着されて該コーナー部での天側、側面側、および地側を保護する種々の形状のコーナーパッドに適用可能である。
【図面の簡単な説明】
【００３８】
【図１】この発明のコーナーパッドによりコーナー部が保護される太陽電池モジュールの一例を概略的に示す斜視図である。
【図２】図１中のII−II線に沿った断面の概略図である。
【図３】図１中のIII−III線に沿った断面の概略図である。
【図４】この発明のコーナーパッドの一例を概略的に示す展開図である。
【図５】図４に示した展開形状のコーナーパッドの組み立て時の形状を概略的に示す平面図である。
【図６】図４に示した展開形状のコーナーパッドの組み立て時の形状を概略的に示す底面図である。
【図７】図４に示した展開形状のコーナーパッドの組み立て時の形状を概略的に示す正面斜視図である。
【図８】図４に示した展開形状のコーナーパッドの組み立て時の形状を概略的に示す背面斜視図である。
【図９】図４に示した展開形状のコーナーパッドの組み立て時の形状を概略的に示す側面図である。
【図１０】図５〜図９に示したコーナーパッドを複数の太陽電池モジュールそれぞれのコーナー部に装着してこれらの太陽電池モジュールを積層したときの状態を概略的に示す部分側面図である。
【符号の説明】
【００３９】
５  天面部
１０Ａ，１０Ｂ  雄型嵌合部
１５Ａ，１５Ｂ  雌型嵌合部
２０Ａ  第１側壁部
２０Ｂ  第２側壁部
３０Ａ，３０Ｂ  第１セクション
３２Ａ1，３２Ａ2，３２Ｂ1，３２Ｂ2  第１ポーション
３３Ａ，３３Ｂ  第２ポーション
３５Ａ，３５Ｂ  第２セクション
３７Ａ，３７Ｂ  第３セクション
４０Ａ  第１底面部
４０Ｂ  第２底面部
５０  コーナーパッド
ＦＰ  開口部（底面側雌型嵌合部）
【図１】
2010058798.tif 000003
【図２】
2010058798.tif 000004
【図３】
2010058798.tif 000005
【図４】
2010058798.tif 000006
【図５】
2010058798.tif 000007
【図６】
2010058798.tif 000008
【図７】
2010058798.tif 000009
【図８】
2010058798.tif 000010
【図９】
2010058798.tif 000011
【図１０】
2010058798.tif 000012